(57)【要約】【課題】電磁界計測器を空間中の所望の位置に正確かつ容易に保持可能とすることにより、精度よく再現性のある電磁界測定を実施可能とする。【解決手段】電力設備（１００）から外部に放射される電磁界を測定するための電磁界測定器９０を支持する電磁界測定器支持装置１であって、電磁界測定器を支持する測定器支持台１０と、測定器支持台に搭載されて測定器支持台の水平状態を確認する水準器と、測定器支持台を地面から任意の高さ位置に保持する伸縮自在な脚部４０と、を備え、脚部には、測定器支持台の地上高を表示する高さ表示手段５０が設けられている。【選択図】図１
2012013499.tif 000002
【特許請求の範囲】
【請求項１】
電力設備から外部に放射される電磁界を測定するための電磁界測定器を支持する電磁界測定器支持装置であって、
前記電磁界測定器を支持する測定器支持台と、該測定器支持台に搭載されて該測定器支持台の水平状態を確認する水準器と、前記測定器支持台を地面から任意の高さ位置に保持する伸縮自在な脚部と、を備え、
前記脚部には、前記測定器支持台の地上高を表示する高さ表示手段が設けられていることを特徴とする電磁界測定器支持装置。
【請求項２】
前記電磁界測定器と前記電力設備の被測定部位との間の距離を一定に保持するためのスペーサを前記測定器載置台に設けたことを特徴とする請求項１に記載の電磁界測定器支持装置。
【発明の詳細な説明】
【技術分野】
【０００１】
本発明は、電磁界測定器を用いて変電所や送電線等の電力設備から放射される電磁界を測定するに際し、電磁界測定器を空間中の所望の位置に保持可能にする電磁界測定器支持装置に関する。
【背景技術】
【０００２】
送電線や変電所、家庭用電気機器などの電力設備から発生する電界、磁界及び電磁界（以下まとめて「電磁界」という。）のばく露量に関しては、ＩＣＮＩＲＰガイドラインにおいてその制限値が定められている。
電力設備周辺において上記制限値を順守するためには、精度よく再現性のある測定を実施する必要があり、電磁界の測定方法が国際規格ＩＥＣ６２１１０にて定められている。具体的には、（１）一様な電磁界が想定される場合（例えば、架空送電線の下方や配電線の下方）には、地面から１ｍの高さにおいて測定する、（２）非一様な磁界が想定される場合（例えば、変電所の敷地境界や電気機器の直近など）には、敷地境界等から水平方向に０．２ｍ離間し、且つ地面から０．５ｍ、１．０ｍ、１．５ｍの高さにおいて測定する、（３）床下に電力設備がある場合には、地面から０．２ｍの高さにおいて測定することが定められている。
電磁界を測定するためには、例えば特許文献１に示すような携帯用測定器を用いることができる。測定器を上記（１）乃至（３）に示した空間位置とするために、従来は作業員が測定器を手に持った状態で、測定器の高さや電力設備からの距離をスケールにて計測していた。
【先行技術文献】
【特許文献】
【０００３】
【特許文献１】特開２００６−３４３１７８公報
【発明の概要】
【発明が解決しようとする課題】
【０００４】
しかしながら、測定器を手に持った状態では測定器を正しい位置に保持することが困難である。また、電磁界測定の都度、スケールを利用して測定器の高さ及び電力設備からの距離を調整する作業は繁雑である。また、作業員がスケールを持参していない場合には、規格に準拠した測定を行うことができない。
本発明は、上述の事情に鑑みてなされたものであり、電磁界計測器を空間中の所望の位置に正確かつ容易に保持可能とすることにより、精度よく再現性のある電磁界測定を実施可能とすることを目的とする。
【課題を解決するための手段】
【０００５】
上記の課題を解決するために、請求項１に記載の発明は、電力設備から外部に放射される電磁界を測定するための電磁界測定器を支持する電磁界測定器支持装置であって、前記電磁界測定器を支持する測定器支持台と、該測定器支持台に搭載されて該測定器支持台の水平状態を確認する水準器と、前記測定器支持台を地面から任意の高さ位置に保持する伸縮自在な脚部と、を備え、前記脚部には、前記測定器支持台の地上高を表示する高さ表示手段が設けられている電磁界測定器支持装置を特徴とする。
請求項１の発明では、測定器支持台に支持された電磁界測定器の地面からの距離を脚部の長さによって決定し、水準器を利用して脚部を垂直に立てることにより、電磁界測定器の高さ位置を正確に保持することができる。
請求項２に記載の発明は、前記電磁界測定器と前記電力設備の被測定部位との間の距離を一定に保持するためのスペーサを前記測定器載置台に設けた請求項１に記載の電磁界測定器支持装置を特徴とする。
請求項２の発明では、電磁界測定器の被測定部位からの水平距離をスペーサによって決定する。
【発明の効果】
【０００６】
本発明によれば、測定器支持台に支持された電磁界測定器の地面からの高さ位置を脚部及び水準器により一定に保つことができるので、電磁界計測器を空間中の所望の位置に正確かつ容易に保持可能となり、精度よく再現性のある電磁界測定が可能となる。
【図面の簡単な説明】
【０００７】
【図１】本発明に係る電磁界測定器支持装置の使用状態を示す斜視図である。
【図２】本発明に係る電磁界測定器支持装置を示す図であり、（ａ）は上面図であり、（ｂ）は部分拡大側面図である。
【図３】本発明に係る電磁界測定器支持装置の非使用時の状態を示した部分拡大側面図である。
【発明を実施するための形態】
【０００８】
以下、本発明の実施形態を図１乃至図３に基づいて説明する。図１は、本発明に係る電磁界測定器支持装置の使用状態を示す斜視図である。図２は、電磁界測定器支持装置を示す図であり、（ａ）は上面図であり、（ｂ）は部分拡大側面図である。図３は、電磁界測定器支持装置の部分拡大側面図である。本発明に係る電磁界測定器支持装置は、電力設備から所定距離離間した位置、かつ所定の地上高さ位置に電磁界測定器を保持する点に特徴がある。なお、説明の便宜上、図１においては、電磁界測定装置を破線にて示している。
【０００９】
電磁界測定器支持装置１（支持装置１）は、変電所１００、送電線、配電線、配電機器又は家庭用電気器具等の電力設備から放射される電界や磁界、電磁界（以下、まとめて「電磁界」と表現する）を測定する電磁界測定器９０（測定器９０）を支持する装置である。支持装置１は、測定器９０を支持する測定器支持台１０（支持台１０）と、支持台１０に設けられて測定器９０と電力設備の被測定部位との間の距離を一定に保持するためのスペーサ２０と、支持台１０に搭載されて支持台１０の水平状態を確認する水準器３０と、支持台１０を地面から任意の高さ位置に保持する伸縮自在な脚部４０と、脚部４０に設けられて、支持台１０の地上高を表示する高さ表示手段５０と、を備えている。
支持台１０は、測定器９０を支持する矩形板状の部材であり、その表面には、各端縁と平行な２直線からなる十字状の目印線（十字線１２）が描かれている。また支持台１０は、測定器９０を支持台１０に固定して落下を防止する固定バンド１４と、支持台１０と脚部４０とを接続する接続部１６と、を備えている。
十字線１２は、後述するスペーサ２０の補助線と一体となって、測定器９０と電力設備の被測定部位からの水平距離を示す指標となる。固定バンド１４は、伸縮自在なゴムバンドや、長さ調節可能なベルト等を用いることができる。接続部１６は、支持台１０の裏面側に配置されており、脚部４０の一端部４０ａと螺合する。
スペーサ２０は、支持台１０の一方の端縁から突出した第一スペーサ２１と、支持台１０の他方の端縁から突出した第二スペーサ２２と、を備える。第一スペーサ２１及び第二スペーサ２２は、帯板状の部材であり、夫々のスペーサの短手方向中間部には補助線２３、２４が描かれている。補助線２３、２４は、スペーサ２０の使用時に夫々十字線１２と一体化する。十字線１２の交差点１２ａから補助線２３、２４の端部２３ａ、２４ａまでの距離は、測定時に従うべき規格に合わせた長さとなるように設定されている。例えば、図２の例では２０ｃｍと設定されている。
【００１０】
スペーサ２０は、使用時（電磁界測定時）に支持台１０から側方に突出して、変電所１００の壁面と測定器９０との距離を一定に保持することができればよく、棒状、あるいはその他の形状とすることができる。
スペーサ２０の支持台１０側の端部は、支持台１０の下面に回転自在に軸支されており、図３に示すように、非使用時には支持台１０の下方に折り畳んで収納できる。すなわち、スペーサ２０は、突出状態と非突出状態との間で自在に回転移動するように構成されている。また、支持台１０の適所には、スペーサ２０の突出時にその突出状態を維持するストッパ２５が配置されている。
スペーサ２０は、支持台１０の上方に折り畳めるように構成してもよい。また、複数の異径のパイプを入れ子式に構成した多段構造として、振り出し竿式に突出状態と収納状態との間で伸縮自在となるようにしてもよい。何れの場合も、ストッパ２５を省略することができる。
【００１１】
水準器３０は、支持台１０の表面適所に配置されている。本実施形態に係る水準器３０は、丸形気泡管であり、支持台１０に埋め込まれている。もちろん、丸形気泡管以外の他の水準器を使用しても構わない。
脚部４０は、水平状態にした支持台１０の下面から地面に向けて鉛直方向に突出するように取り付けられている。脚部４０は、複数本の異径のパイプを入れ子式に連結した多段式の構成を有し、軸方向（高さ方向）に振り出し竿式に伸縮自在となっている。パイプを順次引き出して全体を伸長又は収縮させることにより、支持台１０を地面から任意の高さ位置に保持することができる。
脚部４０の一端部４０ａは接続部１６と螺合して、支持台１０の高さを微調整する調整手段４１となっている。すなわち、脚部４０を中心に支持台１０を回転させることにより、支持台１０の地上高を微調整することができる。
【００１２】
また、脚部４０は、所定の高さ（伸長長さ）毎に色分けが施された高さ表示手段５０を備えている。測定時に従うべき規格に合わせた長さ毎に、例えば５０ｃｍ毎に色分けをすることによって、規格に準拠した高さに容易に調整することができる。また、高さ表示手段５０として、より詳細に高さを表示できる目盛りを備えてもよい。特に調整手段４１の部位に目盛りを備えた場合には、容易かつ正確に脚部４０の高さを微調整することができる。
また、脚部４０の下部には、支持装置１を自立させる補助脚４２が取り付けられている。補助脚４２は、少なくとも支持装置１が転倒しない程度に自立させることができればよい。補助脚４２は、例えば三脚とすることができる。
【００１３】
以上のように構成された支持装置１の使用法について、被測定対象物たる電力設備が変電所１００である場合の例により、図１に基づいて説明する。
測定器９０のセンサ部が少なくとも十字線１２上となるように、測定器９０を支持台１０上に配置するとともに固定バンド１４にて固定する。十字線１２のうちセンサ部が位置する線と交差する方向へスペーサ２０を突出させる。測定器９０が所望の高さ位置となるように脚部４０を伸長させる。このとき、高さ表示手段５０の表示を参考にする。また、測定器９０のセンサ部の高さ位置がわかっている場合には、センサ部が地面から所望の高さ位置となるように、調整手段４１を用いて調整する。変電所１００の壁面にスペーサ２０の端縁を密着させる。脚部４０の他端部４０ｂを地面に密着させた状態で支持台１０が水平となるように、水準器３０の表示を確認しながら支持台１０の角度を調整する。支持台１０が水平となったときに、測定器９０の示す値を読み取る。
以上のように、電磁界の測定時には、スペーサ２０が測定器９０と電力設備の被測定部位との距離を固定的に保持する。また、少なくとも十字線１２上に測定器９０のセンサ部が存在するように測定器９０を配置することによって、センサ部と電力設備の被測定部位との距離を規格に準拠した距離に保持することができる。従って、精度よく再現性の高い電磁界測定を行うことができる。特に、交差点１２ａ上に測定器９０のセンサ部を配置した場合には、第一スペーサ２１及び第二スペーサ２２の何れを用いても、被測定部位との水平方向における距離を一定に保持することができる。
また、異なる高さ位置における測定を行う場合は、測定器９０のセンサ部が所望の高さ位置となるように脚部４０を伸長させて同様に測定を行う。測定終了時には、脚部４０を収縮させるとともに、スペーサ２０を折り畳むことができるので、支持装置１をコンパクトに収納することができる。
【００１４】
以上のように本実施形態によれば、脚部が自在に伸縮して支持台が所望の高さ位置となるので、電磁界測定器のセンサ部を規格に合わせた高さ位置に保持することができる。また、高さ表示手段により脚部が所定の高さ毎に色分けされているので、測定器支持台の地上高を容易に確認することができる。また、水準器により、測定器支持台の水平状態を確認することができるので、測定器の地面からの距離を正確に設定することができる。また、調整手段により測定器支持台の地上高を微調整することができるので、センサ部の高さ位置が異なる電磁界測定器を使用する場合であっても、センサ部の地上高を正確に設定することができる。また、スペーサにより電力設備との水平距離を保持することができる。
このように、測定器を空間の所望の位置に保持することができるので、精度よく再現性の高い電磁界測定を行うことができる。
【符号の説明】
【００１５】
１…電磁界測定器支持装置（支持装置）、１０…測定器支持台（支持台）、１２…十字線、１２ａ…交差点、１４…固定バンド、１６…接続部、２０…スペーサ、２１…第一スペーサ、２２…第二スペーサ、２３、２４…補助線、２３ａ、２４ａ…端部、２５…ストッパ、３０…水準器、４０…脚部、４０ａ…一端部、４０ｂ…他端部、４１…調整手段、４２…補助脚、５０…高さ表示手段、９０…電磁界測定器（測定器）、１００…変電所
【図１】
2012013499.tif 000003
【図２】
2012013499.tif 000004
【図３】
2012013499.tif 000005